(57)【要約】      （修正有）【課題】店頭で商品を入れた状態で展示販売できる袋体に、内容物を封入した上で簡単に封鎖できると共に、一旦封鎖した袋体を簡単にかつきれいに開封できる袋体を提供する。【解決手段】表裏面を有する袋体１であって、裏面部１１は表面の上縁部１０１よりも延材した延材部１１０を有し、該延材部を折り曲げて開口部を覆ったうえで表面部１０の表面に接着することによって開口部を閉じる袋体であり、該延材部には、表面部方向に接着部を有し、該接着部と延材部の基部との間の裏面部にミシン目５を有する袋体である。【選択図】図１
0003164954.tif 000002
【実用新案登録請求の範囲】
【請求項１】
表裏面を有する袋体であって、
裏面部１１は表面部１０の上縁部１０１よりも延材した延材部１１０を有し、
該延材部１１０を折り曲げて開口部を覆ったうえで表面部１０表面に接着することによって開口部を閉じる袋体において
該延材部１１０には該上縁部１０１に沿ったミシン目５を有することを特徴とする袋体。
【請求項２】
表裏面を有する袋体であって、
裏面部１１は表面部１０の上縁部１０１よりも延材した延材部１１０を有し、
該延材部１１０を折り曲げて開口部を覆ったうえで表面部１０表面に接着することによって開口部を閉じる袋体において
該延材部１１０は、表面部１０方向に接着部３を有し、
該接着部３と延材部１１０の基部との間の裏面部１１にミシン目５を有することを特徴とする請求項１記載の袋体。
【請求項３】
ミシン目５に沿ってテープ６を裏面部１１に有することを特徴とする請求項１又は２のいずれかに記載の袋体。
【請求項４】
袋体の提げ手部２として、表裏面にわたる孔を有することを特徴とする請求項１乃至３のいずれかに記載の袋体。
【請求項５】
袋体の提げ手部２の孔の周囲に補強部を有することを特徴とする請求項４に記載の袋体。
【請求項６】
袋体が角底袋であることを特徴とする請求項１乃至５のいずれかに記載の袋体。
【請求項７】
袋体が樹脂シートにより構成されていることを特徴とする請求項１乃至６のいずれかに記載の袋体。
【考案の詳細な説明】
【技術分野】
【０００１】
本考案は、袋体開口部を閉鎖した後に簡単に開封できる開封手段を有する袋体に関する。
【背景技術】
【０００２】
従来より袋体、特に樹脂性の袋体については、収納物を収納した上で例えば各種接着部材で開口部を封鎖するものである。
例えば、スーパーマーケットや各種販売店において商品を購入した場合に、該商品を袋体内に収納した上で、袋体の開口部を閉じるものである。
これは、例えば接着テープなどを用いて封鎖する手段は多用されている。
【０００３】
又、野菜・果物その他の生鮮品の販売に際しては、例えば、その商品を個別に展示して販売するほか、予め内部がよく見える透明な袋体内に複数個の商品を入れた状態で袋ごと販売する方法が多用されている。
これは袋体内に予めリンゴやミカン等を一定数量入れておき、この袋ごと購入するものであり、購入者にとっては必要量をまとめて購入できると共に袋体に提げ手部を有しており、持ち運びが簡単にできる等の利点が多く、現在多用されているものである。
【０００４】
特に商品を一定数量入れる場合には袋体の構造がしっかりしていることが必要となり、特許文献１に示す構成の袋体が存在する。
又商品を入れた状態で見栄え良く展示するためには角底を有することが必要であり、この場合においても特許文献１に示す構成は極めて使い勝手の良い構成となる。
【先行技術文献】
【特許文献】
【０００５】
【特許文献１】特開平６‐３１２７５０号
【考案の概要】
【考案が解決しようとする課題】
【０００６】
以上の様に、袋体自体に関して内容物を収納した状態で開口部を封鎖する手段としては別途接着部材で開口部を閉じることは多用されている。
例えば販売に際して透明なフィルムで構成されて角底を有する袋体に商品を封入して販売し、当初開口部が開いた状態で商品を収納するものとなる。
この様な袋体の販売時に別途接着部材を用いて閉じる等の方策が用いられてきたものである。
【０００７】
各々テープなど別途の接着部材を用いて袋体の閉鎖の閉鎖をしなければならず、極めて手間がかかるものとなってしまい、手間のコスト高と共に別途必要となる接着部材のコストの加算等を招いてしまうものである。
特に販売店側からするとサービスのために行っているものであり、手間や費用がかかりすぎるような包装は極力避けることが必要となり現実的にはそこまでの手間はかけられないものとなる。
【０００８】
更に仮に接着テープなどで厳重に封鎖した場合には、逆に購入者が袋体を開封するに際して袋体内からの商品の取り出しが困難となり、使い勝手の悪い包装になりかねないものであった。
以上のような欠点を有していることから、袋体の閉鎖に簡単に行うことができる袋体の提供が望まれるものである。
【０００９】
特にこの様な袋体を更に閉鎖した場合には内容物を取り出すに際して、袋体を例えばカッターやハサミ等で切り開くことが必要となる。
特に接着部材での封鎖は、開かないように強度の接着によって封鎖されるものであり、再開封に際してはこの接着部分での開封は容易なものではなかった。
従って、最開封を容易ならしめる何らかの開封手段が要望されるものである。
【課題を解決するための手段】
【００１０】
以上のように係る課題を見事に解決するため、請求項１に係る考案は表裏面を有する袋体であって、裏面部は表面部の上縁部よりも延材した延材部を有し、該延材部を折り曲げて開口部を覆ったうえで表面部表面に接着することによって開口部を閉じる袋体において、該延材部には該上縁部に沿ったミシン目を有する袋体からなり、係る袋体によって前記課題を解決できる。
【００１１】
又請求項２に係る考案は、表裏面を有する袋体であって、裏面部は表面の上縁部よりも延材した延材部を有し、該延材部を折り曲げて開口部を覆ったうえで表面部表面に接着することによって開口部を閉じる袋体において、該延材部には、表面部方向に接着部を有し、該接着部と延材部の基部との間の裏面部にミシン目を有する袋体からなり、係る袋体を用いてもよい。
【００１２】
更に、請求項３に係る考案は、前記各考案に関して更にミシン目に沿ってテープを裏面部に有する袋体からなるものであり、係る構成を用いても簡単に開口できるものとなる。
或いは請求項４に係る考案のように袋体の提げ手部として、表裏面にわたる孔を有するものでもよく、又請求項５に係る考案のように更に補強部を有するものでもよい。
又、請求項６に係る考案のように袋体が角底袋であるものでも、請求項７に係る考案のように袋体が樹脂シートにより構成されているものであってもいずれでもよい。
【考案の効果】
【００１３】
以上のように構成したことから、まず請求項１に係る考案によって、延材部を折り曲げて開口部を覆ったうえで表面部表面に接着することによって開口部を閉じることができるものであり、簡単に開口部の封鎖ができる反面ミシン目によって簡単にかつきれいに再開封ができるものである。
特に上縁部に沿ったミシン目により上縁部に沿って開封ができるものであり、きっちりとした開封を可能とする。
【００１４】
次に請求項２に係る考案によって接着部と延材部の基部との間の裏面部にミシン目を有する袋体であり、接着部による接着を外さなくともミシン目によって開封できることとなる。
従って、しっかりとした接着部を用いることができる反面その接着強度に左右されずに簡単にミシン目より開封できるものである。
更に請求項３に係る考案により、テープを用いて簡単にかつきれいに開封できるものとなる。
【００１５】
もとよりミシン目によって簡単にかつきれいな開封ができるが、更にテープを配することによって、端にテープを引くだけで簡単にミシン目に沿った開封を可能とするものである。
次に請求項４に係る考案によれば、提げ手部を有することができるものであり持ち運びが便利になるものである。
更に請求項５に係る考案によれば、提げ手部周囲に補強部を有するものとなり、提げ手を用いた持ち運びに際して袋体の変形を防止できるものとなる。
【００１６】
特にミシン目を用いて開封した後は上部に開口ができることから袋体の強度が低下してしまうが、該補強部により少なくとも提げ手部が補強されるものとなり、提げ手部を用いて袋体を持ち運ぶに際して袋体の変形を防止できるものとなる。
請求項６に係る考案によれば、角底袋であるゆえ、起立できると共に内容量を多く取ることを可能とする。
従って商品を入れた状態で起立させるような状況例えば店頭における展示販売等に極めて効率よく使用できるものとなる。
更に請求項７に係る考案により紙製の袋体にも使用できるものであり、多様な袋体に応用できる広範で極めて使い勝手の良い袋体の提供をおこなえるものである。
【図面の簡単な説明】
【００１７】
【図１】本考案に係る袋体の一例を示す図
【図２】図１に示す袋体のＡ−Ａ線断面図を示す図
【図３】図１に示す袋体の延材部を折り込んで袋体開口部を閉じた状態の一例を示す図
【図４】本考案に係る袋体内に内容物を収納している状態の一例を示す図
【図５】本考案に係る袋体を一旦閉鎖した上でミシン目をもって開口した状態の一例を示す図
【図６】本考案に係る袋体の他の一例を示す図
【図７】本考案に係る袋体の他の一例の袋体の延材部を折り込んで袋体開口部を閉じた状態の一例を示す図
【考案を実施するための形態】
【００１８】
図１は、本考案に係る袋体１の一例を示す図である。
本図に示すよう袋体は表裏２枚のフィルム又シートを用いて構成しているものであり、底部は角底とし、又上部は開口として形成しているものである。
この場合、本図構成は一枚のフィルム地を折り込んで表裏２枚の袋体を構成したものである。
更に本袋体には取っ手用の提げ手部２として袋体に孔を有している。
尚、折り込みではなく２枚重ねた上で側辺部分などをシールして袋体を構成するものであってもよい。
もとより収納すべきものを収納する収納部分を有し、更にすくなくとも一部に収納物を出し入れするための開口部を有するものである。
【００１９】
本図では表面部１０と裏面部１１とは重ねて形成されており、提げ手部２分及びその上部部分までは重積状態として形成されているが、表面部１０はこの取っ手の上部で上縁部１０１を形成する。
これに対して裏面部１１は、更に上部まで延在して延材部１１０を構成している。
これによって、裏面部１１の延材部１１０を折り曲げて表面部１０方向に折り込むことにより開口部を閉じる蓋として機能するものである。
従って、袋体の開口部から収納すべき商品を収納した後に、該裏面部１１の延材部１１０を折り曲げて表面部１０の表面に折り込むことによって蓋として開口部を閉じることができるものである。
【００２０】
この場合裏面部１１の延材部１１０の表面側には接着部３を有しており、該接着面には剥離紙４が貼着しているものである。
更に裏面部１１の延材部１１０の基部部分すなわち表面部１０より裏面部１１が突出した部分の表面部１０の開口部部分の外部方向に上縁部である開口部辺に沿ってミシン目５が構成されている。
尚、提げ手部２に関しては取っ手用の孔の周囲に補強部を有するものでもよい。
例えばシート地を積層して該周囲部分を補強したものでも、或いは接着部材などを用いてこの積層部分を接着することにより補強するものでも、或いはシール加工によりシール部を構成して補強するものでも、いずれでもよい。
【００２１】
或いは、積層せずにシール加工して強度を高めるものでもよい。
取っ手の周囲の補強部により取っ手部分の強度が増し、提げ手部２を用いて袋体をもった時点において袋体の変形を防止できるものである。
従って、袋体を封鎖した段階でも、袋体の変形を防止して持てると共に手に係る力をきれいに分散でき、手持ち感よく持ち運びができるものとなる。
更に、例えば該袋体を封鎖後に、更にミシン目５を用いて開封した段階においても提げ手部を用いて袋体を持つことができると共に提げ手部２周囲の補強によりミシン目５を引き剥がした後も袋体の変形を防止できることとなる。
【００２２】
図２は、図１のＡ−Ａ線断面図を示す。
まず表裏面をそれぞれ構成するシート地からなる袋体である。
例えばフィルム状のシートも当然に包含されるものである。
この場合このシート地は樹脂シート地でも紙製シート地であってもよく、これがフィルム地で構成するものであってもシート地に含まれるものである。
本構成においては角底を有するものであり、底部は折り込み構成を形成する。
なお、本図構成は一のシート地を折り込んで表裏面を有する袋体を構成するが底部でシールすることによって２枚のシート地をもって構成するものでも、あるいは２枚のシート地と底部の折り込み部分をそれぞれ別シート地をもって構成するものであってもよい。
少なくとも表裏面を有する袋体であればよい。
【００２３】
次に表面部１０と裏面部１１にはそれぞれに貫通する孔が設けられており、提げ手部２を構成する。
更に提げ手部２の上部には開口部を構成する袋体の表面部１０の開口辺である上縁部１０１が形成されている。
これに対して裏面部１１は、この表面部１０の開口部を構成する上縁部１０１よりも突出形成されている延材部１１０を有する。
この延材部１１０の付け根部分即ち表面部の開口部を構成する上縁部１０１よりも上部方向に該上縁部１０１に沿ってミシン目５が形成されている。
【００２４】
尚、ここでは沿ってとはきっちりとまっすぐに一致して平行に存在するもののみならず、上縁部１０１と平行に或いはこれと近似した方向に向かって構成されているものであればよいことを意味する。
従って袋体の側辺の一端方向から他の側辺の一端方向に向かってということを意味するものである。
更には必ずしも上縁部に一致する位置に存在することを意味するものではなく、上縁部の近傍に位置すればよいことを意味するものである。
すくなくとも延材部１１０のいずれかの位置に有するものであればよいものである。
従ってずれた位置ややや離れた位置にあるものであっても沿ってに該当するものである。
【００２５】
また、このミシン目５よりも上部方向の裏面部１１には接着部３を表面部方向に有している。
更にこの接着部３の接着面には剥離紙４が貼着されているものである。
尚、ミシン目５の配設位置は一例であり、少なくとも延材部に有し、上縁部に沿って形成されているものであればよい。
又、裏面部１１に接着部３を有する場合には、該接着部３と表面部１０の開口部上縁部１０１に位置する裏面部の間に有するものであればよい。
即ち該接着部３と延材部１１０の基部との間の裏面部１１にミシン目５を有するものであればよい。
【００２６】
図３は、裏面部１１の延材部１１０を折り込んで開口部を覆って表面部１０に折り込んだ上で接着部３によって裏面部１１と表面部１０を接着した状態即ち開口部を閉じた状態の一例を示す図である。
即ち、剥離紙４をはがして接着面を表出した上で延材部１１０によって開口部を閉じた状態の一例を示す図である。
このように構成することにより袋体を簡単に閉じることができる。
図４は、袋体内に内容物たとえば果物等を収納した上で裏面部１１の延材部１１０を開口部を覆って表面部１０方向に折り込み、開口部を閉じた状態の一例を示す。
【００２７】
本図のように簡単に袋体の開口部をとじることができる。
これによって例えば果物等を袋体内に収納した状態で店頭販売することが簡単に行うことができ、店頭販売のための袋詰めに際しても袋体開口部の封鎖が現場で簡単に行えるものである。
更に角底袋ゆえ、店頭販売時に起立状態で展示できるものである。
また提げ手部２を有することからこのまま簡単に持ち運べることとなる。
これは販売店側であらかじめ袋体の封鎖を行うこともできるとともに販売時は開口状態で販売し、購入者が購入後に封鎖するものでもよい。
したがって極めて使い勝手のよい袋体の提供ができる。
【００２８】
更に一旦封鎖した袋体は、本来接着部３を剥がすか或いは鋏やカッター等で切り開くことがどうしても必要であり、これが購入者にとってもっとも面倒で使い勝手の悪いものであった。
即ち、購入後、購入者が自宅などで購入したものを取り出すに際して、しっかりと開口部が閉じている場合にはこれを開くことが必要である。
たとえば多用されている樹脂シート自体、破れ防止のため一定程度の強度を有しているものであり、更に開口部を閉じるための接着部材に関しても接着テープなどで閉じた場合には、このテープを剥がすことが難しいものである。
【００２９】
したがって、破れ難い袋体の更に外れにくい接着テープ等に対して、これをきれいにかつ簡単に開口するにはカッターや鋏を使うことが必要となりかねないものである。
このために簡単に開口するために延材部１１０の付け根部分即ち表面部の開口部を構成する上縁部１０１よりも上部方向位置に該上縁部１０１に沿って裏面部１１に設けたミシン目５を用いて簡単に切り開くことができるものである。
図５にはミシン目５に沿って切り開くことにより簡単に袋体が開口している一例を示すものである。
したがって、本考案にかかる袋体は簡単に封鎖できるとともに簡単に開封できる極めて有用かつ便利な使い勝手のよい袋体である。
【００３０】
図６及び図７は、本考案にかかる袋体の他の実施例を示す図である。
即ち、袋体の裏面部１１の延材部１１０の付け根部分即ち表面部の開口部を構成する上縁部１０１よりも上部方向位置に該上縁部１０１に沿って裏面部１１にミシン目５を有するが、該ミシン目５に沿って更にテープ６を配設した一例を示す。
尚、図７においては、上縁部１０１はテープ６によって隠れた位置に存在するものである。
このように構成することによりミシン目５に沿っての切り開きに際して、たとえば表裏面をそれぞれ反対方向に引くことによってミシン目５に力を加えて該ミシン目５部分で切り裂くだけでなく、簡単に該テープ６を引き剥がすことにより、ミシン目５でテープ６が切り取られることなり、ミシン目５での開口をきわめて簡単に行える。
【００３１】
たとえば若年齢者や高年齢者等でも簡単にかつきれいに開口部を閉じた袋体を開くことができる。
なお、本図における構成は折り込んだ延材部が提げ手部２にまでかかった一例を示すが、これよりも延材部１１０が短く構成して延材部１１０を開口部を覆って折り込んで表面部１０に接着した状態でも提げ手部２にかからない長さの延材部１１０を有するものでももちろんよいものである。
更に接着部３に関しても本明細書の図面に示す構成は一例であり、全体にわたって接着部３を有するものであっても或いは他の異なる箇所や異なる個数有するものであってもよい。
【符号の説明】
【００３２】
１      袋体
１０    表面部
１０１  上縁部
１１    裏面部
１１０  延材部
２      提げ手部
３      接着部
４      剥離紙
５      ミシン目
６      テープ
【図１】
0003164954.tif 000003
【図２】
0003164954.tif 000004
【図３】
0003164954.tif 000005
【図４】
0003164954.tif 000006
【図５】
0003164954.tif 000007
【図６】
0003164954.tif 000008
【図７】
0003164954.tif 000009